(57)【要約】  本発明は、嵌合部品にロックすることができるロックエレメントを有する閉鎖装置であって、好適には、特に壁または天井のための、好適には乾式壁構造における開口のシールハッチ、特に点検ハッチを閉鎖するための閉鎖装置に関する。本発明による閉鎖装置は、ロックエレメントが、好適にはばねの作用下で、嵌合部品に関する第１の位置では、ロック位置にあり、またはロック位置内へと移動することができ、第２の位置では、ブロック作用のない位置および／または状態に達するように、配置されていることを特徴とする。
2020529535.tif 000002
【特許請求の範囲】
【請求項１】
嵌合部品にロックすることができるロックエレメントを有する閉鎖装置であって、好適には、特に壁または天井のための、好適には乾式壁構造における開口のシールハッチ、特に点検ハッチを閉鎖するための閉鎖装置において、
前記ロックエレメント（６）は、好適にはばね（８）の作用下で、前記嵌合部品に関する第１の位置では、ロック位置にあり、またはロック位置内へと移動することができ、第２の位置では、ブロック作用のない位置および／または状態に達するように配置されていることを特徴とする、閉鎖装置。
【請求項２】
前記第１の位置は、前記第２の位置よりも前記ロックエレメント（６）の開放位置に近い、請求項１記載の閉鎖装置。
【請求項３】
前記ロックエレメント（６）は、前記ばね（８）の影響下で回転できるように軸（７）に取り付けられている、請求項１または２記載の閉鎖装置。
【請求項４】
前記ばね（８）は、前記軸（７）に取り付けられる脚付きばねであって、前記脚付きばねの一方の脚（９）は前記ロックエレメント（６）に作用し、他方の脚（１０）は支持部で支持される、請求項３記載の閉鎖装置。
【請求項５】
前記ロックエレメント（６）は、ホルダ（４）に、好適には、実質的に自由に突出するフィンガとして形成されたホルダ（４）に配置されており、前記ホルダは、前記ロックエレメント（６）に関する前述した第１の位置および第２の位置内へと、前記嵌合部品に対して移動することができる、請求項１から４までのいずれか１項記載の閉鎖装置。
【請求項６】
前記嵌合部品は、前記ホルダ（４）またはフィンガのためのレセプタクル（３）を有している、請求項５記載の閉鎖装置。
【請求項７】
前記レセプタクル（３）は実質的に開口である、請求項６記載の閉鎖装置。
【請求項８】
前記嵌合部品は、実質的にストライカプレート（１）の形式で形成されている、請求項１から７までのいずれか１項記載の閉鎖装置。
【請求項９】
前記嵌合部品は実質的に、閉鎖すべき開口の開口縁部または開口フレームの接合部材として形成されている、請求項１から８までのいずれか１項記載の閉鎖装置。
【請求項１０】
前記ロックエレメント（６）は、閉鎖すべき開口のシールハッチの閉鎖装置セット（２）の部品である、請求項１から９までのいずれか１項記載の閉鎖装置。
【請求項１１】
前記閉鎖装置セット（２）は、接合部材または接合部材の部品である、請求項１から１０までのいずれか１項記載の閉鎖装置。
【請求項１２】
前記ロックエレメント（６）は、前記第１の位置で、前記嵌合部品にロックするラッチジョー（１１）を有している、請求項１から１１までのいずれか１項記載の閉鎖装置。
【請求項１３】
前記ラッチジョー（１１）は、好適には前記ばね（８）の作用方向とは逆方向に作用する爪領域を有している、請求項１２記載の閉鎖装置。
【請求項１４】
前記ラッチジョー（１１）は、そのジョー面のうちの１つの領域に、特に、前記第１の位置で前記第２の位置に面しているかまたは前記第２の位置に近いジョー面（１５）に、前記爪領域を有しており、前記ラッチジョー（１１）は、別のジョー面に逃げ面（１２）を有しており、前記逃げ面は、前記ロックエレメント（６）が前記第１の位置から前記第２の位置へと位置変更移動をする間に、前記ロックエレメント（６）を前記ばねの作用とは逆方向に旋回させ、前記ラッチジョー（１１）を前記第２の位置の方向での位置変更移動へと解放する、請求項１３記載の閉鎖装置。
【請求項１５】
前記ロックエレメント（６）は、好適には前記第２の位置の方向とは反対に面した側にエントリーガイド路（１３）を、好適にはエントリーカーブを有している、請求項１から１４までのいずれか１項記載の閉鎖装置。
【請求項１６】
前記ロックエレメント（６）は、実質的にカムディスクの形式で形成されている、請求項１から１５までのいずれか１項記載の閉鎖装置。
【請求項１７】
前記ロックエレメント（６）は、前記ホルダ（４）内の隙間（５）内で、前記隙間（５）を少なくとも部分的に橋渡しする軸（７）上に配置されている、請求項１から１６までのいずれか１項記載の閉鎖装置。
【発明の詳細な説明】
【技術分野】
【０００１】
本発明は、嵌合部品にロックすることができるロックエレメントを有する閉鎖装置に関し、好適には、特に壁または天井のための、好適には乾式壁構造における、開口のシールハッチを、特に点検ハッチを閉鎖するための閉鎖装置に関する。
【背景技術】
【０００２】
前述した従来の形式の閉鎖装置は、例えば、独国特許発明第３７３６０６０号明細書により公知である。
【０００３】
公知の閉鎖装置では、ロックエレメントは実質的に、Ｕ字形のばね上でその位置を変更することによりラッチが掛けられ、ラッチが解除される。この場合、ばね脚を広げるためにコーンが役割を果たす。
【０００４】
この公知の閉鎖装置は極めて単純に構成されており、一般にはその目的を果たす。
【発明の概要】
【発明が解決しようとする課題】
【０００５】
それにも関わらず、本発明は、必要であれば、高負荷下でも確実に動作する代替となる閉鎖装置を提案するという目的に基づいている。
【課題を解決するための手段】
【０００６】
本発明によれば、この課題は、閉鎖装置であって、ロックエレメントが、好適にはばねの作用下で、嵌合部品に関する第１の位置では、ロック位置にあり、またはロック位置内へと移動することができ、第２の位置では、ブロック作用のない位置および／または状態に達するように配置されているという事実によって区別される閉鎖装置によって達成される。
【０００７】
上述した従来技術とは異なり、本発明による閉鎖装置のロックエレメントは、ばね上でラッチが掛けられるまたはロックされるのではなく、好適にはばねの助けによりロックされる。その結果、本発明による閉鎖装置の成果として、ばね作用下での移動中、いわば準自動化されて、特に安定的に機械的にロックする安全な閉鎖装置が有利には得られる。この安定的で信頼性の高いロックは特に、強化された防火規制の下であっても、シールハッチを適切なものとし、適応させる。
【０００８】
この目的のために、本発明によれば、好適にはばね作用下で、嵌合部品に自動的にロックまたはラッチ掛止するために、例えばシールハッチを好適には手で押し閉めることにより、ロックエレメントが第１の（閉鎖）位置内へと移動されるとき、ロックエレメントの改良された形式が提供される。次いで、ロックエレメントが強制的に、再度好適には手動により第２の位置に移動されるとき、ロックエレメントをそれ以上ブロックされない位置へと好適には自動的にもたらし、好適には強制することができる。以下でさらに説明するように、特に凸状のガイド、好適にはエントリーガイド路を設けることができ、エントリーガイド路は、非ブロック位置へのロックエレメントの強制的な移動に役立つことができる。
【０００９】
本発明による閉鎖装置の好適な形態では、第１の位置が、第２の位置よりも、ロックエレメントの開放位置に近くされている。
【００１０】
これは、上述したロックエレメントを第２の位置へともたらす方法では、ロックエレメントが開放位置の方向に移動されるのではなく、第１の閉鎖位置を越えてさらに押されることを意味しており、これによりロックエレメントは、まず非ブロック位置に到達し、好適にはばねによって移動されることができ、これによりその後、ロックエレメントが（依然として）嵌合部品上での障害となることなく、閉鎖装置を開放位置内へと移動させることができる。
【００１１】
本発明の好適な展開形態によれば、ロックエレメントは、ばねの影響下で回転できるように軸に取り付けられている。このために、ロックエレメントの軸は、好適には、第１の位置から第２の位置への移動方向に対して直交している。結果として、第１の位置ではロックエレメントはこの移動方向に対して実質的に横方向に配置され、嵌合部品にロックされ、第２の位置では、ロックエレメントが実質的に移動方向と整合し、それ以上ブロックが行われなくなるまで、前方に回転することができる。軸は、別個の構成要素であってよいが、好適には、短軸または軸ジャーナルを、ロックエレメントの領域としてモールドすることができ、そうでなければ、短軸または軸ジャーナルは、閉鎖装置のベアリングに回転可能に取り付けられる。換言すると、ロックエレメントは、軸の周りを回転可能であってよく、また軸と共に回転可能であってよい。例えば、ロックエレメントが別の軸上で回転できる程度に準結合された形態も考えられるが、軸上での良好なガイドのために、軸は、この軸が通される少なくとも１つのモールドされた軸ブシュ区分を有している。
【００１２】
本発明による閉鎖装置の特に簡単かつ有利な展開によれば、ばねは、軸に取り付けられる脚付きばねであって、脚付きばねの一方の脚はロックエレメントに作用し、他方の脚は支持部で支持される。この目的のために、特に直接的な方法では、例えば好適には線材から曲げられた脚付きばねの折り曲げられた端部を、ロックエレメントに設けられた受容孔内へと導入することができ、他方の端部を、ロックエレメントが相対的に可動であるように配置されている、閉鎖装置の部分で支持することができる。しかしながら、脚付きばねの代わりに、例えば、好適には少なくとも１つの閉じた円を形成するように、軸の周りにガイドされていて、かつ脚付きばねが圧縮力を加える作用方向で張力を加える引張ばねを形成するコイルばねを使用することもできる。
【００１３】
本発明の好適な展開形態によれば、本発明の閉鎖装置の、ロックエレメントが相対的に可動であるように配置されている部分は、ホルダであってよく、好適には、実質的に自由に突出するフィンガとして形成されたホルダであってよく、このホルダは、ロックエレメントに関する前述した第１の位置および第２の位置内へと、嵌合部品に対して移動することができる。このような好適な実施形態は特に、既に概説したように単に押し込んで閉鎖することができるシールハッチの閉鎖装置を容易にし、実質的に閉鎖方向にランスのように突出するフィンガの自由端部は、ロックエレメントと共に、嵌合部品の部分を単に通過して移動し、例えばロックエレメントは、第１の位置に到達するとすぐに、例えばばねの作用下で、嵌合部品のこの部分の後方で少なくとも部分的に単に係合する。同時に、この瞬間および／またはこの位置で、ばねの継続的な作用にも関わらず、ブロックの効果により、ロックエレメントはまだ前方に移動しないが、おそらく、ホルダまたはフィンガが、さらに第２の位置へと強制的に移動されただけで、ロックエレメントは前方に移動する。
【００１４】
本発明による閉鎖装置の１つの好適な実施形態によれば、嵌合部品はフィンガのためのレセプタクルを有している。単純には、レセプタクルは実質的には開口であってよく、例えばストライカプレートは好適には嵌合部品の少なくとも一部に形成することができるので、ストライカプレートに設けられた穴であってもよいしまたは嵌合部品の小穴であってもよく、これにより、好適にはフィンガとして形成されたホルダは貫通することができ、ある程度、好適にはガイドもされる。
【００１５】
本発明の別の展開形態は、嵌合部品が実質的に、閉鎖すべき開口の開口縁部または開口フレームの接合部材として形成されていて、特に、適切な場合には、好適にはコーナー接合部材であるという事実によって区別される。このようにして、開口のシールハッチを、狙い通りに正確に、高い信頼性で閉鎖することができ、好適には同時に、この開口の開口縁部または開口フレームを補強することができる。勿論、本発明によれば、複数の、特に少なくとも２つの閉鎖装置を、例えば２つのコーナーで使用することもできる。開口に旋回可能に連結されているシールハッチの場合、例えば２つの閉鎖装置を、シールハッチのジョイントから離れた自由なコーナーに設けることができる。対応する形式で、本発明によれば、好適には、ロックエレメントは、閉鎖すべき開口のシールハッチの閉鎖手段の部品であってよい。
【００１６】
閉鎖手段は好適には、接合部材、または接合部材の部品であってよく、開口縁部または開口フレームのための接合部材に関して既に説明したような対応する利点を有している。
【００１７】
本発明の特に有利な好適な展開形態では、ロックエレメントが、第１の位置で、嵌合部品にロックするラッチジョーを有していることを特徴とする。この目的で、ロックエレメントのラッチジョーは好適には、ばね作用の方向とは逆方向に作用する爪領域を有している。
【００１８】
本発明により好適には提供されるラッチジョーの形状は、第１の位置でロックしている間、嵌合部品の一部の周囲にぴったり合う係合が可能である状態に極めて容易に到達できるという特別な利点を有しており、ラッチジョーの１つの領域、特に爪領域は、開放方向で閉鎖手段をブロックし、ラッチジョーの別の領域は、ばねが作用し続けているにも関わらず、非ブロック位置内へのロックエレメントの前進移動を最初から阻止する。
【００１９】
この目的のために特に好適な本発明の展開形態は、好適には、ラッチジョーが、そのジョー面のうちの１つの領域に、特に第１の位置において第２の位置に面しているかまたは第２の位置に近いジョー面に、爪領域を有しており、ラッチジョーは、別のジョー面に逃げ面を有しており、逃げ面は、ロックエレメントが第１の位置から第２の位置へと位置変更移動をする間に、ロックエレメントをばねの作用とは逆方向に旋回させ、ラッチジョーを第２の位置の方向での位置変更移動へと解放するという事実によって区別される。
【００２０】
閉鎖装置の閉鎖位置を固定するラッチジョーの領域、爪領域は、閉鎖装置の開放を開放移動の方向で阻止するが、開放方向とは逆の第２の位置の方向へのロックエレメントの前進移動は阻止しない。第２の位置の方向へのロックエレメントの自動的な前進移動は、ばね作用下でこの方向でブロックするラッチジョーの第２のジョー領域により阻止される。しかしながら、ばね力よりも大きい力を、好適には手でさらに加えると、ロックエレメントは第２の位置の方向で移動されて、次いで、ロックエレメントのラッチジョーのこの第２のジョー領域が、第２の方向へのロックエレメントの前進移動のために解放されるまで、第２のジョー領域の逃げ面が、ばねの作動力に対抗してロックエレメントが押されるのを支援する。
【００２１】
次いで、ロックエレメントが、嵌合部品の影響によるロック領域から完全に出るとすぐに、ばねの作用によりロックエレメントが最終的な非ブロック位置へと動かされ、これによりロックエレメントは、干渉なしに逆方向に、すなわち開放方向に動くことができ、再度、嵌合部品の影響によるロック領域を通って、開放位置へと戻る。
【００２２】
閉鎖装置の開放方向での、嵌合部品の影響によるロック領域を再度通過するロックエレメントの後方移動は、本発明の好適な展開形態では、ロックエレメントが、好適には第２の位置の方向とは反対に面した側に、エントリーガイド路、好適にはエントリーカーブを有している点で、より簡単に行うことができる。ロックエレメントが、嵌合部品の影響によるロック領域を再び通過する場合、移動の間、嵌合部品は、ロックエレメントをエントリーガイド路に沿ってばね作用の方向に、移動路から出て非ブロック位置内へと強制的に移動させることができる。嵌合部品またはエントリーガイド路は、ばね作用を支援することもばねを過度に引き伸ばすこともでき、つまり、例えば、ばねを、圧縮ばねのニュートラルな無負荷状態から引張ばねへと変換し、引張ばねの引張力は、ばねのもともとの圧縮作用に抗して、エントリーガイドの強制力によって阻止されているものの、ロックエレメントが、嵌合部品の影響によるロック領域から完全に出るまで、ロックエレメントをブロック位置の方向で動かそうとする。
【００２３】
本発明の好適な展開形態は、ロックエレメントが実質的にカムディスクの形式で形成されており、このカムディスクは、様々な前述の領域と曲線とを統合した形式で有することができるという事実によって区別される。
【００２４】
本発明の次の展開形態は、ロックエレメントが、ホルダ内に、好適にはフィンガとして形成されたホルダ内に設けられた隙間内で、この隙間を少なくとも部分的に橋渡しする軸上に配置されているという事実によって区別される。
【００２５】
この場合、ロックエレメントは、しっかりと保持されていて、ホルダ内に大きく入り込んでいて、平歯車のホイールまたはスターと類似の形式で、その重要な機能領域だけ隙間の外に機能的に突出している。
【００２６】
さらなる発明の特徴を見つけることができるが、原則的には単に例として見なされるべきであり、本発明の主題またはその保護範囲を制限することを意図しない、例示的な実施形態が図面に示されている。
【図面の簡単な説明】
【００２７】
【図１】第１の位置、すなわち開放位置にある、本発明によるロック装置の一部の断面図である。
【図２】図１に示した部品を第２の位置で、すなわち閉鎖中の状態で示す図である。
【図３】図１および図２に示した部品を第３の位置で、すなわちロック位置または閉鎖位置で示す図である。
【図４】前述の図面に示した部品を第４の位置で示す図である。
【図５】前述の図面に示した部品を第５の位置で、すなわち開放中の状態で示す図である。
【図６】前述の図に示した部品を第６の位置で、すなわち再度開放位置で示す図であり、これは、図１の第１の位置に再度対応する。
【図７】前述の図面に示した本発明による閉鎖装置に組み込まれたロックエレメントを有するホルダを示す斜視図である。
【図８】図７に示した部品の分解図である。
【図９】図１〜図６に示した本発明による閉鎖装置の部分の別の断面図である。
【図１０】図７に示した本発明による閉鎖装置の部分の別の断面図である。
【図１１】本発明による閉鎖装置を備えた接合部材の斜視図である。
【発明を実施するための形態】
【００２８】
図１には、断面図で、本発明による閉鎖装置の例示的な実施形態の、嵌合部品のストライカプレート１の部品と、閉鎖装置セット２の部品とが示されている。ストライカプレート１は、図示された閉鎖装置セット２の部分のためのレセプタクル３を有している。
【００２９】
ストライカプレート１と閉鎖装置セット２との両方はそれぞれ、接合部材の一部であってよく、接合部材自体は、閉鎖すべき開口のための部品、またはこのような開口のためのシールハッチのための部品であってよい。
【００３０】
閉鎖装置セット２は、実質的にフィンガとして形成されたホルダ４を有していて、このホルダは、隙間またはスロット５を有しており、この隙間またはスロット内には、ロックエレメント６が、軸７上で旋回できるように取り付けられる。軸７上では、ロックエレメント６が、脚付きばねまたはその他として単純に形成することができる、例えばねじりコイルばねとして形成することもできるばね８の作用力がかけられる。ばね８の端部または脚９，１０のうちの一方は、ロックエレメント６に接続されていて、他方はホルダ４に接続されている。
【００３１】
ロックエレメント６は実質的にカムディスクとして形成されていて、特に、逃げ面１２とエントリーガイド路１３とを有するラッチジョー１１を有している。これら前述の領域の機能は、さらなる図面を用いてより詳しく説明する。
【００３２】
図１には、閉鎖装置セット２が第１の位置で、すなわち閉鎖装置の開放位置で示されている。閉鎖装置を閉鎖するために、閉鎖装置セット２は、矢印１４の方向へと動かされ、図２に示される次の位置へと動かされる。
【００３３】
図２には、図１に示した部品が第２の位置で示されているが、これはまだ閉鎖位置ではない。図２および以後の図面でも、同じ構成要素には図１と同じ参照符号を付与する。
【００３４】
図２の絵図では、ロックエレメント６を備えた閉鎖装置セット２の自由端部が、ストライカプレート１のレセプタクル３内にさらに少々挿入されている。図１の第１の位置と比較して、この第２の位置では、ばねが圧縮ばねであるか引張ばねであるかに関わらず、ばね８の作用に対抗する閉鎖装置セット２の動きの結果として、ラッチジョー１１のジョー面１５の外面が、レセプタクル３の縁部に当接していて、スロット５の方向で、スロット５内へと押し込まれている。結果として、閉鎖装置セット２の自由端部は、作動していないロックエレメント６と共に流線形に、矢印１４の方向でさらにレセプタクル３を通って移動することができる。
【００３５】
図３には、本発明による閉鎖装置の閉鎖位置またはロック位置が、ここでは第３の位置として示されている。
【００３６】
図２における第２の位置と比較して、閉鎖装置セット２は、ジョー面１５がストライカプレート１の背後に到り、レセプタクルの縁部から解放されるまで、レセプタクル３内へとさらに押し込まれており、これにより、ロックエレメント６は、ばね８の作用によりスロット５の外へとある程度旋回できるが、それはラッチジョー１１がレセプタクル３の縁部の周囲に係合し、レセプタクル３の縁部によってロックされるまでであって、今や、逃げ面１２が、ばね８の作用下でレセプタクル３の縁部に当接し、結果としてロックエレメント６のさらなる旋回をブロックする。
【００３７】
このようにして達成されたロックは極めて安定しているので、矢印１４の方向とは逆方向の力が直接的に作用した場合でも、閉鎖装置を開放することはできない。特に、部屋の天井上にまたは天井内に、このようにしてロックされたシールハッチは、その重量を受けても開放されることはない。本発明によれば、これはとりわけ、爪面としてのジョー面１５の内面の形状によって達成される。
【００３８】
請求の範囲およびこの詳細な説明では、この第３の位置は、レセプタクル３に関するロックエレメント６の第１の位置としても示される。
【００３９】
図４には、図１による部品の第４の位置が示されている。この第４の位置では、ロックエレメント６は、レセプタクル３に関する第２の位置としても既知の位置の状態で示されている。この第２の位置に関しては、ロックエレメント６が図４に示した状態に到達するとすぐに、レセプタクル３のより近くであっても、到達したとしてよい。すなわち、具体的には、図１に示した第１の位置または開放位置から見て、レセプタクル３の後方で、かつ図３に示す閉鎖位置またはロック位置の後方で、レセプタクル３から完全に解放されており、いわば第１の位置となっている。
【００４０】
図３のロック位置では、ラッチジョー１１の複数あるジョー面は、ロックエレメント６の両旋回方向でロックエレメント６の自動的な動きをブロックするが、矢印１４の方向の付加的な力の作用下での積極的な前進移動に抵抗することはできない。ジョー面１５は、矢印１４とは反対の方向にのみブロックするので、いずれにせよ妨害とはならない。しかしながら、別のジョー面も、その内面が斜めの逃げ面１２として形成されているので、このような動きを妨げることはできず、したがって、単純に加えられた力により、所定の力成分をもったばね８の作用に抗して、この逃げ面１２は妨害しないところへと押しやられる。
【００４１】
したがって、さらに外力を加えられた矢印１４の方向での移動により、ロックエレメント６は図４に示した位置をとることができる。
【００４２】
図５には、図１に示した部品の第５の位置が示されている。この図示した位置では、閉鎖装置セット２は矢印１６の方向で、図１に示した開放位置の方向に戻されている。図示した位置では、ロックエレメント６が、再びレセプタクル３をちょうど通過したところである。この図からは、今や図５に示したように、ブロックされることなく、ロックエレメント６を非ブロック位置内へと回転させることができ、この位置では、ロックエレメント６はホルダ４に整列しており、妨げられることなくレセプタクル３を通って進むことができるので、図４におけるロックエレメント６の位置または状態は、既にブロック作用を有していないことがわかる。エントリーガイド面１３はロックエレメント６の対応する旋回、およびレセプタクル３内への進入のために有用である。
【００４３】
図６には再び、図１に示した開放位置が示されており、本発明による閉鎖装置の開放／閉鎖サイクルの完了が示されている。
【００４４】
図７は、前述の図面に示した本発明による閉鎖装置セット２の部分の斜視図を示している。
【００４５】
図７によれば、特に、ホルダ４のスロット５または隙間内の軸７に、どのようにしてロックエレメント６が旋回可能に取り付けられているかがよくわかる。さらに、ホルダ４のフィンガ形状をはっきりと見ることができる。ロックエレメント６は、カムディスクとして認識されてよい。
【００４６】
図８では、図７に示した閉鎖装置セット２の部品が、再度、分解図で示されている。さらなる詳細は、この図面からよりよくわかる。ばね８は、ここでは脚付きばねとして示されていないが、張力をかけることができ、軸７の周りに通すことができるストリップ状のコイルばねとして示されている。
【００４７】
さらに、図８には、ロックエレメント６上にモールドされた、軸７のための軸ブシュ区分１７が示されている。
【００４８】
図９には、図１から図６までとは異なる、閉鎖装置セット２の断面図が示されている。図１から図６には、図９においてＡ−Ａ線によって示した断面平面が示されており、図９には、この断面平面に対して実質的に垂直な平面の縦断面図が示されている。
【００４９】
図１０には、本発明による閉鎖装置セット２のさらに異なる断面図が示されている。
【００５０】
図９が、図１０のＣ−Ｃ線によって示した断面平面における縦断面図を示す場合、図１０は、図９のＢ−Ｂ線によって示した断面平面における横断面図を示している。
【００５１】
図１１には、再び、例として、本発明による閉鎖装置を備えた点検ハッチを有する点検口のための接合部材が斜視図で示されている。点検口と、点検口を閉鎖するための点検ハッチ自体は示されていない。図１１には、明瞭さのために、説明用に使用されるいくつかの参照符号だけが使用されている。
【００５２】
図示した接合部材は、コーナー用接合部材であり、好適には金属接合部材であり、この接合部材により、点検口のフレームまたは縁部および点検ハッチのフレームまたは縁部も有利には補強することができる。同時に、これらの接合部材は、例えば数本のねじで、迅速かつ簡単に固定することができる。
【００５３】
外側接合部材１８は点検口に取り付けられており、内側接合部材１９は点検ハッチに取り付けられている。
【００５４】
ここでは、内側接合部材１９は、ロックエレメント６を備えた閉鎖装置セット２を支持し、外側接合部材１８は、レセプタクル３を備えたストライカプレート１を支持している。
【００５５】
本発明による閉鎖装置は、異なる方式で、より単純な方式で、またはより複雑な方式で構成されてもよい。例えば、点検口の外側フレームのプロファイルと、点検ハッチの外側フレームのプロファイルとがオーバーラップする場合、閉鎖装置セット２のためのレセプタクル３として、点検口の外側フレーム内に直接、穴を設けることを考えることができ、または、ロックエレメント６を備えた閉鎖装置セット２を、点検口の外側フレーム上のフラットなホルダ４に取り付けることができ、ホルダ４は、点検口の背後で平行に、ラグとして突出し、したがって、閉鎖位置における点検ハッチのためのストッパを形成することもできる。このようなホルダ４はおそらく、外側フレームの左右に取り付けることができる。この目的のためのレセプタクル３は、点検ハッチの縁部またはフレーム上に単に設けることができる。
【００５６】
図１１にはさらに、例として、エジェクトスプリング２０が示されており、このエジェクトスプリングは、閉鎖装置がロックされていない場合に、点検ハッチがばね圧下で僅かに開き、より容易に把持されることができ、完全に開放され得ることを保証する。
【図１】
2020529535.tif 000003
【図２】
2020529535.tif 000004
【図３】
2020529535.tif 000005
【図４】
2020529535.tif 000006
【図５】
2020529535.tif 000007
【図６】
2020529535.tif 000008
【図７】
2020529535.tif 000009
【図８】
2020529535.tif 000010
【図９】
2020529535.tif 000011
【図１０】
2020529535.tif 000012
【図１１】
2020529535.tif 000013
【国際調査報告】
2020529535.tif 000014
2020529535.tif 000015